(57)【要約】 【課題】  発破を用いずに硬い地山を掘削できる割岩工法を用いたトンネル構築工法において、施工能率を向上させることができるトンネル構築工法を提供することを目的とする。【解決手段】  トンネル本坑１が構築される地山Ｇに、トンネル本坑１よりも小径でトンネル本坑１の軸線方向に延在する先進導坑２をトンネル本坑１の断面内に位置するように先行掘削する先行掘削工程と、先進導坑２内からトンネル本坑１の断面方向に向けて、先進導坑２の壁面に割岩孔４を穿孔する穿孔工程と、割岩孔４内から地山Ｇに外力を加える粉砕手段１３ａによって地山Ｇ´を粉砕してトンネル本坑１を構築する粉砕工程とを備え、粉砕工程を行っている際、その先方では、穿孔工程を併行して行う。【選択図】      図１
2006097409.tif 000002
【特許請求の範囲】
【請求項１】
トンネル本坑が構築される地山に、前記トンネル本坑よりも小径で該トンネル本坑の軸線方向に延在する先進導坑を前記トンネル本坑の断面内に位置するように先行掘削する先行掘削工程と、
該先進導坑内から前記トンネル本坑の断面方向に向けて、前記先進導坑の壁面に割岩孔を穿孔する穿孔工程と、
該割岩孔内から前記地山に外力を加える粉砕手段によって前記地山を粉砕して前記トンネル本坑を構築する粉砕工程とを備えるトンネル構築工法であって、
前記粉砕工程を行っている際、その先方では、前記穿孔工程を併行して行うことを特徴とするトンネル構築工法。
【請求項２】
請求項１記載のトンネル構築工法において、
前記先行掘削工程完了後に、前記穿孔工程及び前記粉砕工程を行うことを特徴とするトンネル構築工法。
【請求項３】
請求項１記載のトンネル構築工法において、
前記穿孔工程を行っている際、その先方では、前記先行掘削工程を併行して行うことを特徴とするトンネル構築工法。
【請求項４】
請求項１から３記載のトンネル構築工法において、
前記先進導坑内から前記トンネル本坑の断面方向に向けて、前記トンネル本坑の壁面外方の所定改良域に達する改良用孔を穿孔し、該改良用孔から前記改良域内に改良材を注入して前記改良域を改良する改良工程を行うことを特徴とするトンネル構築工法。
【請求項５】
請求項４記載のトンネル構築工法において、
前記粉砕工程時に、前記改良用孔を前記割岩孔として利用することを特徴とするトンネル構築工法。
【発明の詳細な説明】
【技術分野】
【０００１】
本発明は、発破を使わずに地山に坑を形成する工法であって、自由断面掘削機では掘削が不可能な岩盤などの硬い地山や、発破掘削が採用できない施工条件の時に採用される割岩工法を用いたトンネル構築工法に関する。
【背景技術】
【０００２】
一般に、水文環境保全が要求されるトンネルを掘削する場合には、予めトンネル掘削箇所の周囲に止水改良を施し、その後トンネルの掘削を行うことになる。このとき、トンネルを掘削する手段としては、例えば、火薬等を用いた発破による掘削を行う手段と、自由断面掘削機を用いて掘削する手段とがある。発破による掘削では、振動で止水改良部分に亀裂が入って止水環境が保たれなくなる虞がある。一方、自由断面掘削機を用いて掘削を行う方法では、止水環境を保つことが可能であるが、トンネルを形成する地山が岩盤等である場合には掘削が不可能となる。したがって、水文環境保全が要求される岩盤等の硬い地山にトンネルを掘削する場合等、自由断面掘削機による掘削が困難で、且つ発破掘削が採用できない施工条件である場合には、割岩工法による掘削が行われる。
【０００３】
従来の割岩工法を用いたトンネル構築工法は、先ず、削岩機を用いて、トンネルの軸線方向に延在する複数の孔（割岩孔）を鏡面（切羽面）に蜂の巣状に穿孔するとともに、トンネルの外周に沿ってスリット（自由面）を切削する。次に、割岩孔に油圧ピッカーを差し込み、この油圧ピッカーを割岩孔の中で拡径させ、拡径圧によって地山を割岩（一次粉砕）する。これによって、地山に人工的なクラックが入り、硬い地山の強度が低下する。また、割岩の手段として、水と生石灰系膨張性物質との混合物（静的破砕材）を割岩孔内に充填し、その水和物の膨張圧により、硬い地山に人工的なクラックを発生させる手段や、割岩孔内にチューブを挿入し、このチューブに高圧水や高圧油を送ってチューブを膨張させ、硬い地山に人工的なクラックを発生させる手段等がある。最後に、油圧ブレーカーや自由断面掘削機、ピックハンマー等を用いてクラックが入っている鏡面を切削・砕岩（二次粉砕）し、トンネルを形成する（例えば、特許文献１参照。）。
【特許文献１】特開昭６２−２８８２９６号公報
【発明の開示】
【発明が解決しようとする課題】
【０００４】
しかしながら、上記した従来のトンネル構築工法では、振動や騒音は低減されるものの、非常に非効率的な工法であり、月進２０ｍ程度の進行しか期待できず、極めて施工能率が悪いという問題が存在する。したがって、工期及び工費が発破掘削工法等に比べて大幅に掛かることになる。
【０００５】
本発明は、上記した従来の問題が考慮されたものであり、発破を用いずに硬い地山を掘削できる割岩工法を用いたトンネル構築工法において、施工能率を向上させることができるトンネル構築工法を提供することを目的としている。
【課題を解決するための手段】
【０００６】
請求項１記載の発明は、トンネル本坑が構築される地山に、前記トンネル本坑よりも小径で該トンネル本坑の軸線方向に延在する先進導坑を前記トンネル本坑の断面内に位置するように先行掘削する先行掘削工程と、該先進導坑内から前記トンネル本坑の断面方向に向けて、前記先進導坑の壁面に割岩孔を穿孔する穿孔工程と、該割岩孔内から前記地山に外力を加える粉砕手段によって前記地山を粉砕して前記トンネル本坑を構築する粉砕工程とを備えるトンネル構築工法であって、前記粉砕工程を行っている際、その先方では、前記穿孔工程を併行して行うことを特徴としている。
【０００７】
このような特徴により、硬い地山を粉砕する作業を行っている最中に、その先方では割岩孔を穿孔する作業を行なわれ、穿孔作業及び粉砕作業がそれぞれ連続的に作業可能である。また、割岩孔がトンネル本坑の軸線方向に直交する方向に延在されることになるため、割岩孔内から地山に外力を加える粉砕手段によって地山を粉砕する際、切羽面全体が自由面となる。
【０００８】
請求項２記載の発明は、請求項１記載のトンネル構築工法において、前記先行掘削工程完了後に、前記穿孔工程及び前記粉砕工程を行うことを特徴としている。
【０００９】
このような特徴により、先行掘削工程時に発生するズリを先行導坑内から搬出する際、先行導坑内にはズリ出しの障害になるような機器等がない。
【００１０】
請求項３記載の発明は、請求項１記載のトンネル構築工法において、前記穿孔工程を行っている際、その先方では、前記先行掘削工程を併行して行うことを特徴としている。
【００１１】
このような特徴により、先行掘削工程の完了を待たずに、穿孔工程及び粉砕工程が行われる。
【００１２】
請求項４記載の発明は、請求項１から３記載のトンネル構築工法において、前記先進導坑内から前記トンネル本坑の断面方向に向けて、前記トンネル本坑の壁面外方の所定改良域に達する改良用孔を穿孔し、該改良用孔から前記改良域内に改良材を注入して前記改良域を改良する改良工程を行うことを特徴としている。
【００１３】
このような特徴により、トンネル本坑の外方に、改良材によって改良された改良域が形成される。
【００１４】
請求項５記載の発明は、請求項４記載のトンネル構築工法において、前記粉砕工程時に、前記改良用孔を前記割岩孔として利用することを特徴としている。
【００１５】
このような特徴により、止水改良等のために穿孔した孔（改良用孔）が地山を粉砕のための孔（割岩孔）となるため、割岩孔を穿孔する手間が低減或いは省略される。
【発明の効果】
【００１６】
本発明に係るトンネル構築工法によれば、トンネル本坑が構築される地山に先進導坑を先行掘削する先行掘削工程と、先進導坑内からトンネル本坑の断面方向に向けて割岩孔を穿孔する穿孔工程と、割岩孔内から地山に外力を加える粉砕手段によって地山を粉砕してトンネル本坑を構築する粉砕工程とを備え、粉砕工程を行っている際、その先方では、穿孔工程を併行して行うことによって、穿孔作業及び粉砕作業がそれぞれ連続的に作業可能であるため、トンネル本坑掘削作業のサイクルタイムが短縮され、割岩工法を用いたトンネル掘削工事の施工能率を向上させることができる。
また、割岩孔がトンネル本坑の断面方向に向けて穿孔されていることによって、割岩孔がトンネル本坑の切羽面に対して平行に形成され、割岩孔内から地山に外力を加える粉砕手段によって地山を粉砕する際、切羽面全体が自由面となり、効率的に粉砕され、サイクルタイムを短縮することができる。
【発明を実施するための最良の形態】
【００１７】
以下、本発明に係るトンネル構築工法の第一，第二の実施の形態について、図面に基いて説明する。
【００１８】
＜第一の実施形態＞
図１は本発明に係るトンネル構築工法の第一の実施の形態を表す全体図であり、図２は図１に示すＸ−Ｘ間の断面図である。図１，図２に示す破線は、トンネル本坑１の計画外周線であり、トンネル本坑１の壁面ラインを示す線である。また、図１，図２に示す鎖線は、トンネル本坑１の外方の改良域を示す線である。なお、本発明でいう「トンネル本坑」とは、地山内を貫通して坑口（出入り口）が２つある一般的なトンネルを意味する他に、坑口が１つの洞窟状のものや、地下深部に形成される大空洞のようなものも含む概念であり、広く地中に形成される「地下空洞」を意味している。
【００１９】
［先行掘削工程］
まず、図１における左側の工区（先行掘削工区Ａ）における先行掘削工程について説明する。
図１，図２に示すように、岩盤シールドやトンネルボーリングマシーン（ＴＢＭ）等の先進導坑掘削機１０を用いて、トンネル本坑１が構築される硬い地山Ｇに、トンネル本坑１の軸線方向に延在する先進導坑２を先行掘削する。この先進導坑２は、トンネル本坑１よりも小径であって、ドリルジャンボ等の穿孔機１１が内部で作業できる程度の大きさである。また、先進導坑２は、断面形状円形のトンネル本坑１の断面内略中央に位置しており、先進導坑２の断面形状も略円形に形成されている。
【００２０】
［穿孔工程、改良工程］
次に、先行掘削工区Ａの後方にある中間の工区（穿孔工区Ｂ）における穿孔工程および改良工程について説明する。
穿孔機１１を用いて、先進導坑２の壁面に、止水材等の改良材を注入するための改良用孔３として用いられるとともに、地山Ｇを粉砕するための割岩孔４として用いられる孔を穿孔する。この改良用孔３（割岩孔４）は、先進導坑２内からトンネル本坑１の断面方向に向けて穿孔されており、改良用孔３はトンネル本坑１の軸線方向に直交する方向に延在されている。また、改良用孔３の深さは、トンネル本坑１の壁面から所定厚さの改良域Ｓに達しており、改良域Ｓの外周線（鎖線）まで穿孔されている。また、改良用孔３は、互いに適当な間隔をあけて複数形成されており、複数の改良用孔３は、先進導坑２の軸線を中心に放射状にそれぞれ配設されている。なお、改良用孔３のうちトンネル本坑１の断面内にある部分は、割岩孔４としても利用される孔であるため、トンネル本坑１の断面内の改良用孔３（割岩孔４）の径は、後述する割岩機１３の油圧ピッカー１３ｂが挿入可能な程度の大きさである。
【００２１】
次に、止水材注入機１２に備えられた注入パイプ１２ａを改良域Ｓに達するまで改良用孔３内に挿入し、この止水材注入機１２を用いて改良用孔３内から改良域Ｓ内に止水材を注入し、改良域Ｓを止水改良して止水改良域を形成する。このとき、改良用孔３の穿孔時に湧水が確認された箇所にのみ止水材を注入し、湧水が確認されなかった箇所には止水材を注入せずに止水改良域を形成しなくてもよい。また、予め所定区間に湧水が無いことが予想されていれば、その区間については、割岩孔４のみの穿孔であってもよい。この場合は、前述の改良用孔３（割岩孔４）の深さがトンネル本坑１の壁面から所定深さの改良域Ｓに達していたところ、改良域Ｓへの穿孔は不要となるため、トンネル本坑１が構築される断面内での穿孔となり、また、当然に改良工程はなくなり、穿孔工程のみとなる。
【００２２】
［粉砕工程］
次に、穿孔工区Ｂの後方にある粉砕工区Ｃにおける粉砕工程について説明する。
まず、トンネル本坑１の切羽５部分に、クローラータイプのベースマシン１３ａに油圧ピッカー１３ｂ（粉砕手段）が搭載されてなる割岩機１３を配置する。そして、改良用孔３を割岩孔４として利用して、切羽面６近傍の割岩孔４内に油圧ピッカー１３ｂを挿入する。このとき、油圧ピッカー１３ｂは、トンネル本坑１の軸方向に配設された複数の割岩孔４のうち、切羽面６側の端に形成された割岩孔４内に挿入する。そして、当該割岩孔４周りの地山Ｇに油圧ピッカー１３ｂの油圧による拡径圧を加えて、この拡径圧によって当該割岩孔４周りの地山Ｇを割岩し、当該割岩孔４と切羽面６との間にある部分の地山Ｇ´を砕岩する。
【００２３】
なお、本発明でいう「粉砕」とは、地山に人工的にクラックを入れる「割岩」と、割岩された地山が崩れ落ちる程度に砕ける「切削・砕岩」との両方の意味があり、本発明では、粉砕手段によって、崩れ落ちる程度まで地山を砕いてもよく、クラックが入って切削し易くなる程度まで地山を砕いてもよい。
【００２４】
上記した油圧ピッカー１３ｂの挿入・拡径作業を、放射状に形成された複数の割岩孔４に対してそれぞれ行い、切羽面６側から順に地山Ｇ´を切削していき、トンネル本坑１を構築する。また、上記した粉砕作業と共に、粉砕されたズリを図示せぬ運搬機によってトンネル本坑１の外に搬出する。
【００２５】
上述した先行掘削工程，穿孔工程及び粉砕工程は、それぞれ単独作業であり、粉砕工程を行っている際、粉砕工区Ｃの先方の穿孔工区Ｂでは、上述した穿孔工程を併行して行っており、穿孔工程を行っている際、穿孔工区Ｂの先方の先行掘削工区Ａでは、上述した先行掘削工程を併行して行っている。つまり、トンネル工事の工区を先行掘削工区Ａ，穿孔工区Ｂ及び粉砕工区Ｃに区分し、先行掘削工程と穿孔工程と粉砕工程とを同時進行で行っている。
【００２６】
上記した構成からなるトンネル構築工法によれば、トンネル本坑１が構築される地山Ｇに先進導坑２を先行掘削する先行掘削工程と、先進導坑２内からトンネル本坑１の断面方向に向けて地山Ｇに割岩孔４を穿孔する穿孔工程と、油圧ピッカー１３ｂによって地山Ｇ´を粉砕してトンネル本坑１を構築する粉砕工程とを備え、粉砕工程を行っている際、粉砕工区Ｃの先方の穿孔工区Ｂでは穿孔工程が併行して行われるため、地山Ｇ´を粉砕する作業を行っている最中に、その先方では割岩孔４を穿孔する作業を行なわれ、穿孔作業及び粉砕作業がそれぞれ連続的に作業可能である。これによって、トンネル本坑１掘削作業のサイクルタイムが短縮され、発破を採用せずにトンネル本坑１を形成する工事の施工能率を向上させることができる。
【００２７】
また、割岩孔４がトンネル本坑１の断面方向に向けて穿孔されているため、割岩孔４がトンネル本坑１の切羽面６に対して平行に形成され、割岩孔４内に油圧ピッカー１３ｂを挿入して地山Ｇ´を粉砕する際、切羽面６全体が自由面となる。つまり、地山Ｇ´を粉砕する際、図１に示す白抜き矢印の方向が起し方向となるため、油圧ピッカー１３ｂの拡径圧によって地山Ｇ´が効率的に粉砕され、サイクルタイムを短縮することができる。
【００２８】
また、穿孔工程を行っている際、その先方の先行掘削工区Ａでは、先行掘削工程を併行して行うことによって、先行掘削工程の完了を待たずに、穿孔工程及び粉砕工程が行われる。これによって、トンネル掘削工事の工期を短縮することができる。
【００２９】
また、先進導坑２内からトンネル本坑１の断面方向に向けて、トンネル本坑１壁面の外方の改良域Ｓに達する改良用孔３を穿孔し、改良用孔３から改良域Ｓ内に改良材を注入して改良域Ｓを改良する改良工程を行うことによって、トンネル本坑の外方に、改良材によって改良された止水改良域が形成される。これによって、トンネル本坑１の壁面の亀裂等の損傷を防ぐことができる。
【００３０】
また、地山Ｇを止水改良するために穿孔した孔（改良用孔３）を、地山Ｇ´を粉砕のための孔（割岩孔４）として利用しているため、割岩孔４を穿孔する手間が省略される。これによって、工事手間を軽減することができ、コストアップを抑えることができる。
【００３１】
＜第二の実施の形態＞
次に、本発明に係るトンネル構築工法の第二の実施の形態について説明する。図３（ａ），図３（ｂ）は本発明に係るトンネル構築工法の第二の実施の形態を表す全体図である。なお、上述した第一の実施の形態と同一の構成については説明を省略する。
【００３２】
［先行掘削工程］
まず、図３（ａ）に示すように、トンネル本坑２１が構築される地山Ｇに先進導坑２２を先行掘削する先行掘削工程を行う。このとき、先行掘削工程によって発生するズリＰを、掘削された先行導坑２２を通って外部に搬出する。つまり、掘削された先進導坑２２内では、穿孔工程や改良工程を行わず、先進導坑２２は、専ら先行掘削工程によって発生するズリＰの搬出路となる。そして、先進導坑２２を掘削し続けて貫通させるか、或いはトンネル本坑１の最奥部まで掘削したら、先行掘削工程を完了する。
【００３３】
［穿孔工程］
次に、図３（ｂ）に示すように、穿孔機２７を用いて、先進導坑２２の壁面に、止水材等の改良材を注入するための改良用孔２５として用いられるとともに、地山Ｇを粉砕するための割岩孔２４として用いられる孔を穿孔する。この改良用孔２５（割岩孔２４）は、先進導坑２２内からトンネル本坑２１の断面方向に向けて穿孔されており、改良用孔２５はトンネル本坑２１の軸線方向に直交する方向に延在されている。また、改良用孔２５の深さは、トンネル本坑２１の壁面から所定厚さの改良域Ｓに達しており、改良域Ｓの外周線（鎖線）まで穿孔されている。また、改良用孔２５は、互いに適当な間隔をあけて複数形成されており、複数の改良用孔２５は、先進導坑２２の軸線を中心に放射状にそれぞれ配設されている。なお、改良用孔２５のうちトンネル本坑２１の断面内にある部分は、割岩孔２４としても利用される孔であるため、トンネル本坑２１の断面内の改良用孔２５（割岩孔２４）の径は、後述する割岩機２３の油圧ピッカー２３ｂが挿入可能な程度の大きさである。
【００３４】
次に、止水材注入機２６に備えられた注入パイプ２６ａを改良域Ｓに達するまで改良用孔２５内に挿入し、この止水材注入機２６を用いて改良用孔２５内から改良域Ｓ内に止水材を注入し、改良域Ｓを止水改良して止水改良域を形成する。このとき、改良用孔２５の穿孔時に湧水が確認された箇所にのみ止水材を注入し、湧水が確認されなかった箇所には止水材を注入せずに止水改良域を形成しなくてもよい。また、予め所定区間に湧水が無いことが予想されていれば、その区間については、割岩孔２４のみの穿孔であってもよい。この場合は、前述の改良用孔２５（割岩孔２４）の深さがトンネル本坑２１の壁面から所定深さの改良域Ｓに達していたところ、改良域Ｓへの穿孔は不要となるため、トンネル本坑２１が構築される断面内での穿孔となり、また、当然に改良工程はなくなり、穿孔工程のみとなる。
【００３５】
［粉砕工程］
次に、割岩機２３に備えられた油圧ピッカー２３ｂを割岩孔２４に挿入し、油圧ピッカー２３ｂによって地山Ｇ´を粉砕してトンネル本坑２１を構築する粉砕工程を行う。このとき、粉砕工程が行われている粉砕工区Ｂの先方の穿孔工区Ａでは、引き続き穿孔工程が行われており、穿孔工程と粉砕工程とは併行に行われている。
【００３６】
上記した構成からなるトンネル構築工法によれば、先行掘削工程完了後に、穿孔工程及び粉砕工程を行うため、先行掘削工程時に発生するズリＰを先行導坑２２内から搬出する際、先行導坑内にはズリ出し作業の障害になるような穿孔機２７や割岩機２３等がない。これによって、先行導坑２２が小径であっても、スムーズにズリ出し作業を行うことができる。
【００３７】
以上、本発明に係るトンネル構築工法の実施の形態について第一，第二の実施の形態で説明したが、本発明は上記した実施の形態に限定されるものではなく、その趣旨を逸脱しない範囲で適宜変更可能である。例えば、上記した実施の形態では、図２に示すように、断面形状円形のトンネル本坑１を構築する場合について説明しているが、本発明は、図４に示すように、断面形状カマボコ形のトンネル本坑５１を形成する場合にも適用することが可能であり、その他、断面形状が楕円形や矩形等の場合にも適用することができる。
【００３８】
また、上記した実施の形態では、図２に示すように、先進導坑２が、トンネル本坑１の断面内略中央に位置しているが、本発明は、先進導坑の位置はトンネル本坑の断面内であればよく、例えば、図４に示すように、先進導坑５２が、トンネル本坑５１の断面内の中央から若干ずれた位置に形成されていてもよい。
【００３９】
また、上記した実施の形態では、図２に示すように、先進導坑２が、断面形状円形に形成されているが、本発明は、先進導坑の断面視形状が楕円形であっても、矩形であってもよく、先進導坑の断面視形状に何ら限定されるものではない。
【００４０】
また、上記した実施の形態では、トンネル本坑１の壁面が、油圧ピッカー１３ｂによって地山Ｇを粉砕することで形成されるが、本発明は、図４，図５に示すように、地山Ｇを粉砕して本杭５１を掘削する作業に先立って、スリットジャンボ等のスリット穿孔機６０を用いて、切羽面５６の外周に沿ってスリット５３を穿孔してもよい。これによって、トンネル本坑５１の掘削断面の払い部における掘削精度を向上させることができるとともに、地山Ｇを粉砕し易くすることができる。
【００４１】
また、上記した実施の形態では、割岩孔４内に油圧ピッカー１３ｂを挿入し、油圧ピッカー１３ｂの拡径圧によって、当該割岩孔４と切羽面６との間にある部分の地山Ｇ´を粉砕して切削しているが、本発明は、図６に示すように、油圧ピッカー等による一次粉砕手段によって地山Ｇ´を割岩した後に、崩れ落ちずに残った地山Ｇ´を油圧ブレーカー等の二次粉砕手段５５によって切削してもよい。つまり、後行工程の粉砕作業を、地山Ｇ´を割岩する一次粉砕と、割岩された地山Ｇ´を切削・砕岩する二次粉砕とに分けてもよい。これによって、硬い地山を確実に掘削することができるとともに、油圧ピッカー等による拡径圧だけで地山Ｇ´を粉砕する必要がないため、割岩孔５４のピッチを大きくして割岩孔５４の数を低減することが可能である。
【００４２】
また、上記した実施の形態では、改良用孔３を利用して割岩孔４の穿孔を完全に省略しているが、本発明は、改良用孔の間隔が広すぎる場合等は、改良用孔を利用して割岩孔とするとともに、新たに割岩孔を穿孔してもよく、つまり、改良用孔を穿孔するとともに、改良用孔を利用するだけでは足りない分を別途割岩孔として穿孔してもよい。これによって、割岩孔として穿孔する数が低減されるため、工事手間を軽減することができる。無論、止水改良を行わない場合は、改良用孔を穿孔せずに、先行工程時に、全てを割岩孔として穿孔し、また、改良用孔が多すぎる場合には、そのうち適当な改良用孔を選択して割岩孔として利用する。
【００４３】
また、上記した実施の形態では、粉砕手段として、油圧ピッカー１３ｂを用いられているが、本発明は、静的破砕材や、液圧膨張やゴム膨張を利用する粉砕手段でもよく、火薬類を使用した発破以外であれば、その他の手段であってもよい。
【図面の簡単な説明】
【００４４】
【図１】本発明に係るトンネル構築工法の第一の実施の形態を説明するための全体概略図である。
【図２】本発明に係るトンネル構築工法の第一の実施の形態を説明するための断面図である。
【図３】（ａ）は本発明に係るトンネル構築工法の第二の実施の形態を説明するための先行掘削工程時の全体概略図であり、（ｂ）は穿孔工程及び粉砕工程時の全体概略図である。
【図４】本発明に係るトンネル構築工法のその他の実施例を説明するための断面図である。
【図５】本発明に係るトンネル構築工法のその他の実施例を説明するための概略図である。
【図６】本発明に係るトンネル構築工法のその他の実施例を説明するための概略図である。
【符号の説明】
【００４５】
１，２１  トンネル本坑
２，２２  先進導坑
３  改良用孔
４，２４  割岩孔
１３ｂ，２３ｂ  油圧ピッカー（粉砕手段）
Ｇ  地山
Ｓ  改良域
【図１】
2006097409.tif 000003
【図２】
2006097409.tif 000004
【図３】
2006097409.tif 000005
【図４】
2006097409.tif 000006
【図５】
2006097409.tif 000007
【図６】
2006097409.tif 000008